(57)【特許請求の範囲】
【請求項１】
掘取刃の左右両端に第一側板を固着するとともに、除礫機械又はハーベスタの一部に除礫機械又はハーベスタの進行方向に若干下傾したシリンダのチューブを固着し、このシリンダのピストンロッドを連結した第二側板を除礫機械又はハーベスタの進行方向後方下端においてピンによって装置本体の一部に対して回動自在に連結するとともに、この第二側板と第一側板とをそれぞれ下端側部分で回動自在に連結し、かつ前記第一側板と第二側板より進行方向後方に存在する基体とを連結部材によって回動自在に連結したことを特徴とする除礫機械又はハーベスタの掘取刃装置。
【発明の詳細な説明】
【０００１】
【産業上の利用分野】
この発明は、掘取刃を抵抗感なく牽引することができるようにした除礫機械又はハーベスタの掘取刃装置に関するものである。
【０００２】
【従来の技術】
除礫機械に代表される掘取刃装置は、従来から一般に用いられているところではあるが、従来から一般に用いられていた掘取刃装置は、図３及び図４に示すように掘取刃ａを側板ｂに若干下傾した状態で固定的に配設され、前記側板ｂは支点ｃを中心にシリンダｄによって除礫機械（図示せず）に対して上下方向に回動自在に配設されていた。
【０００３】
したがって前記シリンダｄをして側板ｂを、掘取刃ａが下降するように回動せしめれば掘取刃ａによる掘り取り深度は深くなることになる。すなわち、前記シリンダｄを作動せしめることによって支点ｃを中心に側板ｂは、進行方向前方に下降するように回動し、この側板ｂに両端が固着されている掘取刃ａは徐々に垂直方向にその傾斜角度が変わってくるものある（この場合、掘取刃ａは決して垂直になるものではない。）。そしてこのような操作は、掘取刃ａが圃場に刺入した後に行うのである。
【０００４】
【発明が解決しようとする課題】
しかしながら、掘取刃ａを作業の開始点から前記のように下降せしめると、この掘取刃ａに対する負荷が大き過ぎ、したがってこれをトラクタ（図示せず）によって牽引するにしてもトラクタに掛る負荷も大きくなるのみならず、掘取刃ａが円滑に土中に挿入しにくいことがあるため、前記下降角度が緩やかな状態になるように前記シリンダｄによって調節し、進行距離に応じて徐々に掘取刃ａの角度を深い方向に調整するのであった。
【０００５】
しかし作業の開始時には掘取刃ａに対する負荷がさほど大ではないが、一旦圃場に刺入した後には掘取刃ａに対する負荷が大となるために、これを牽引する際に大きな抵抗感が生じるのみならず、掘取刃ａの角度が約４５度前後となるために、掘取刃ａによって掘り取られた礫等は、その勾配によって逆行して傾斜面に沿って掘取刃ａの進行方向前方に滑り落ちるという現象を呈していたのである。
【０００６】
【課題を解決するための手段】
そこでこの発明に係る除礫機械及びハーベスタの掘取刃装置は前記の課題を解決するために、掘取刃の左右両端に第一側板を固着するとともに、除礫機械等の一部に除礫機械等の進行方向に若干下傾したシリンダのチューブを固着し、このシリンダのピストンロッドを連結した第二側板を除礫機械等の進行方向後方下端においてピンに対して回動自在に連結するとともに、この第二側板と第一側板とをそれぞれ下端側部分で回動自在に連結し、かつ前記第一側板と第二側板より進行方向後方に存在する基体とを連結部材によって回動自在に連結したものである。
【０００７】
【発明の実施の形態】
次にこの発明に係る除礫機械又はハーベスタ（以下、除礫機械等」と称することもある。）の掘取刃装置の実施の形態を図１及び図２に基づいて述べると、１は掘取刃であり、２は前記掘取刃１の両端を固着してある第一側板である。
【０００８】
３はこの発明に関する除礫機械等の基体のフレームの一部に除礫機械等の進行方向に若干下傾して配設したシリンダであり、前記フレームにはそのうちチューブ部分を固着してある。
【０００９】
４は前記シリンダ３のピストンロッド５を連結した第二側板であり、この第二側板４は前記除礫機械等の進行方向後方下端においてピン６によってピン６に対して回動自在に配設してある。
【００１０】
また前記第一側板２と第二側板４とは、第一側板２が除礫機械等の進行方向前方に位置し、第二側板４が第一側板２より除礫機械等の進行方向後方位置（一部重複することもある。）するが、第一側板２及び第二側板４の下端位置において双方をピン６’によって互いに回動自在に連結してある。
【００１１】
７は第一側板２と装置本体の一部とを回動自在に連結した連結部材である。すなわちこの連結部材７は第二側板４には一切連結されていないのである。
【００１２】
しかして図１に示す状態が装置としての作業前の状態であるが、現場において作業を開始する場合は、シリンダ３の作動によってピストンロッド５を押し出すと、このピストンロッド５（又はシリンダ３）は前記のように装置本体が進行方向に若干下傾して配設されているので、第二側板４をピン６を中心に回動させ、下傾せしめるのである。すると第二側板４と連結されている第一側板２は、その連結点であるピン６’の部分及び第一側板２自体も下降することになる。さらに前記連結部材７もピストンロッド５が押し出される前は地平面にほぼ平行であったものが、ピストンロッド５が押し出させることによって徐々に下方に回動し、したがってこの連結部材７に連結されている第一側板２も下降し、この第一側板２に連結されている掘取刃１も下降し、圃場土に刺入することになるのである。
【００１３】
以上において、連結部材７の長さは一定であり、かつこの連結部材７は、前記のように第一側板２と装置本体にその両端が連結されているために、シリンダ３によって第二側板４の角度が変化しても第一側板２の角度は変化しないのであるから、第一側板２、すなわちこれに固着されている掘取刃１の傾斜角度は変化することはないのである。
【００１４】
尚、図中８は掘取刃１の後方に配設したコンベアであり、掘り取られた礫又は収穫物を後方に運搬するために使用するものであり、きわめて一般的なものである。
【００１５】
【発明の効果】
前記のようにこの発明に係る除礫機械又はハーベスタの掘取刃装置によれば、掘取刃の左右両端に第一側板を固着するとともに、除礫機械又はハーベスタの一部に除礫機械又はハーベスタ等の進行方向に若干下傾したシリンダのチューブを固着し、このシリンダのピストンロッドを連結した第二側板を除礫機械又はハーベスタの進行方向後方下端においてピンによって装置本体の一部に対して回動自在に連結するとともに、この第二側板と第一側板とをそれぞれ下端側部分で回動自在に連結し、かつ前記第一側板と第二側板より進行方向後方に存在する基体とを連結部材によって回動自在に連結してあるので、掘取刃の角度が変化しないため、抵抗感なく牽引され、かつ掘取刃によって掘り取られた礫又が収穫物は、掘取刃上において圃場に逆行して掘取刃の進行方向前方に落下することはないという効果を有するのである。
【図面の簡単な説明】
【図１】  この発明に係る除礫機械又はハーベスタの掘取刃装置の一実施例を示す正面図である。
【図２】  側板の角度変更状態を示す正面図である。
【図３】  従来例を示す斜視図である。
【図４】  図３に示す従来例における掘取刃の角度変化を示す正面図である。
【符号の説明】
１  掘取刃
２  第一側板
３  シリンダ
４  第二側板
５  ピストンロッド
６，６’  ピン
７  連結部材
８  コンベア
【図１】
0003646686.tif 000002
【図２】
0003646686.tif 000003
【図３】
0003646686.tif 000004
【図４】
0003646686.tif 000005